(57)【要約】【課題】  複数のＥＴＣカードを所有している際にも利便性を損なうことなく、また、安全性にも配慮されたＥＴＣ車載機を提供する。【解決手段】  ＥＴＣシステムに用いるＥＴＣ車載機１であって、有料道路の料金支払い者の決済情報を予め記録するとともに料金支払いのための料金支払い用データを記録可能なＥＴＣカードに対して、データの読み込みおよび書き込みを行うカードリーダライターを内蔵し、そのカードリーダライターでのデータの読み込みおよび書き込みを行うためのＥＴＣカードを複数枚挿入可能であるように、カード挿入口１０，２０を複数備える。また、その複数のカード挿入口１０，２０のいずれに対してデータの読み込みおよび書き込みを行わせるかを選択するためのカード選択ボタン１１，２１を備えた。【選択図】  図１
0003102403.tif 000002
【実用新案登録請求の範囲】
【請求項１】
有料道路の料金所の車両検知装置を通過する車両に搭載され、通行料金の収受データ処理を行うＥＴＣシステムに用いるＥＴＣ車載機であって、 
有料道路の料金支払い者の決済情報を予め記録するとともに料金支払いのための料金支払い用データを記録可能なＥＴＣカードに対して、データの読み込みおよび書き込みを行うカードリーダライターを内蔵し、そのカードリーダライターでのデータの読み込みおよび書き込みを行うためのＥＴＣカードを複数枚挿入可能であるように、カード挿入口を複数備えたＥＴＣ車載機。
【請求項２】
ＥＴＣ車載機が車内で設置固定された場合に、複数のカード挿入口が水平となるように配置した請求項１記載のＥＴＣ車載機。
【請求項３】
ＥＴＣ車載機が車内で設置固定された場合に、複数のカード挿入口が垂直となるように配置した請求項１記載のＥＴＣ車載機。
【請求項４】
カード選択ボタンに対応した複数の点灯ランプを備え、その点灯ランプは、データの読み込みおよび書き込みを行うカードとして選択されている場合において、点灯することとした請求項１から請求項３のいずれかに記載のＥＴＣ車載機。
【請求項５】
料金支払いのための料金支払い用データをデータ記録メディアに記録可能なメディア挿入口を備えた請求項１から請求項４のいずれかに記載のＥＴＣ車載機。
【考案の詳細な説明】
【技術分野】
【０００１】
本考案は、有料道路の支払いに関するハードウェアシステムの技術に関する。
【背景技術】
【０００２】
近年、ＥＴＣ（Electronic Toll Collection）システムの普及が進んでいる。このＥＴＣシステムとは、有料道路の料金所に設置された車両検知装置と、その車両検知装置を通過する車両に搭載された自動車搭載機（車載機）とがデータ送受信を行うことによって通行料金の収受データ処理を行い、料金所通行のノンストップ化に寄与するシステムである。ＥＴＣシステムは、料金の徴収に必要なコストを削減し、料金所で頻発する渋滞を緩和する目的で開発された。料金の支払いには、支払い者に関するデータ（以下、「支払い者関連データ」と記す）と車両に関するデータ（車両重量や車種などのデータ。以下、「車両関連データ」と記す）とが必要である。そこで、支払い者関連データと車両関連データとを分離し、支払い者関連データを格納したＥＴＣカードと車両関連データを格納したＥＴＣ専用の車載機（以下、「ＥＴＣ車載機」と記す）とが、ＥＴＣシステムの利用には必要となる。
【０００３】
本考案に関連する先行技術として、特開平１１−１７５７８６号を抽出した。この文献には、既存システムとノンストップ自動料金収受システムの双方を運用可能な有料道路料金収受システムについての技術が開示されている。この技術によれば、ユーザはＥＴＣ専用のゲートと既存のゲートとを区別しなくてもよいというメリットがある。
【特許文献１】特開平１１−１７５７８６号公報
【考案の開示】
【考案が解決しようとする課題】
【０００４】
さて、現在ではＥＴＣカードのサービスを提供するカード提供会社が多数参入している。これらのカード提供会社の多くは、新規ユーザを確保するために切磋琢磨しており、各種のサービスが提供されている。例えば、年会費の永久無料、ＥＴＣカードの利用によるポイント付与、ＥＴＣ車載機の取り付け料金の負担（キャッシュバック）、有料道路別の割引制度などが挙げられる。一方、ユーザにおいては、多くのカード提供会社から発行されているＥＴＣカードを複数所有している場合がある。これは、ＥＴＣカードの発行が無料である場合やユーザが必要とするサービス（例えば、ＥＴＣ車載機の取り付け料金の負担など）を受けたい場合、予備として発行しておく場合、また、仕事上、頻繁に有料道路を使用する場合に上述の割引制度を利用したい場合などの様々な理由が挙げられる。何れにおいても１ユーザあたり２〜３枚程度のカードを所有かつ使用していることが多いのが現状である。
【０００５】
しかしながら、上記のように、複数のＥＴＣカードを所有している場合、複数のＥＴＣカードの管理が面倒となり、表面化しているとまでは言い難いものの、利便性が損なわれているという問題が内在している。これは、従来のＥＴＣ車載機のカード挿入口は一つであり、このカード挿入口にＥＴＣカードを挿入して初めて使用可能状態となる。このため、利用形態に応じて２〜３枚のＥＴＣカードを使い分けるためには、その都度、カード挿入口から入れ替える必要があった。そして、運転状態にＥＴＣカードの入れ替え作業を行えば、安全上の問題も発生することになる。
本考案は上記の問題点に鑑みなされたもので、複数のＥＴＣカードを所有している際にも利便性を損なうことなく、また、安全性にも配慮されたＥＴＣ車載機を提供することにある。
【課題を解決するための手段】
【０００６】
上記課題を解決するため、請求項１記載の本考案では、有料道路の料金所の車両検知装置を通過する車両に搭載され、通行料金の収受データ処理を行うＥＴＣシステムに用いるＥＴＣ車載機であって、有料道路の料金支払い者の決済情報を予め記録するとともに料金支払いのための料金支払い用データを記録可能なＥＴＣカードに対して、データの読み込みおよび書き込みを行うカードリーダライターを内蔵し、そのカードリーダライターでのデータの読み込みおよび書き込みを行うためのＥＴＣカードを複数枚挿入可能であるように、カード挿入口を複数備えたＥＴＣ車載機を提供する。
【０００７】
（用語説明）
「ＥＴＣカード」とは、クレジット会社が発行する一般的なＥＴＣクレジットカードと、大幅な割引制度に対応したヘビーユーザ向けのＥＴＣ別納カードとがある。ＥＴＣ別納カードは、例えば、割引制度を備えたカードである。その複数のカード挿入口のいずれに対してデータの読み込みおよび書き込みを行わせるかを選択するためのカード選択ボタンを、ＥＴＣ車載機に備えていてもよい。
（作用）
請求項１に記載の考案によれば、カード挿入口を複数備えているので、運転開始前に、ＥＴＣ車載機へ予めカードを複数枚挿入しておくことができる。支払い時には、当該複数のＥＴＣカードを使い分けることができ、カード挿入口からＥＴＣカードを入れ替える必要がなくなり、運転時の安全性も向上する。
【０００８】
請求項２に記載の考案は、請求項１記載のＥＴＣ車載機を限定したものであり、ＥＴＣ車載機が車内で設置固定された場合に、複数のカード挿入口が水平となるように配置したことを特徴とする。
【０００９】
（作用）
請求項２に記載の考案によれば、複数のカード挿入口が水平となるように横置き型として配置できる。このため、ＥＴＣ車載機の設置場所の幅を広げることができ、利用者の利便性が向上する。
【００１０】
請求項３に記載の考案は、請求項１記載のＥＴＣ車載機を限定したものであり、ＥＴＣ車載機が車内で設置固定された場合に、複数のカード挿入口が垂直となるように配置したことを特徴とする。
【００１１】
（作用）
請求項３に記載の考案によれば、複数のカード挿入口が垂直となるように縦置き型として配置できる。このため、ＥＴＣ車載機の設置場所の幅を広げることができ、利用者の利便性が向上する。
【００１２】
請求項４に記載の考案は、請求項１から請求項３に記載のＥＴＣ車載機を限定したものであり、カード選択ボタンに対応した複数の点灯ランプを備え、その点灯ランプは、データの読み込みおよび書き込みを行うカードとして選択されている場合において、点灯することとしたことを特徴とする。
【００１３】
（作用）
請求項４に記載の考案によれば、カード選択ボタンに対応した複数の点灯ランプは、データの読み込みおよび書き込みを行うカードとして選択されている場合において、点灯する。すなわち、利用者がカード挿入口に挿入された複数のＥＴＣカードから所定のＥＴＣカードの利用を決定したらカード選択ボタンを押す。カード選択ボタンが押されると、そのカード選択ボタンに対応した点灯ランプが点灯して利用者に告知する。したがって、利用者は複数のＥＴＣカードから選択されているカードがどれなのかを判断することができる。
【００１４】
請求項５に記載の考案は、請求項１から請求項４に記載のＥＴＣ車載機を限定したものであり、料金支払いのための料金支払い用データをデータ記録メディアに記録可能なメディア挿入口を備えたことを特徴とする。
「メディア挿入口」としては、電子的なデータ書き込みを行う記録媒体（たとえば、磁気記録メディア）の出し入れ口、ＥＴＣ車載機へロール紙などに記録するプリンタを内蔵している場合にはその記録用紙の取り出し口などである。
【００１５】
（作用）
請求項５に記載の考案によれば、メディア挿入口にデータ記録メディアを挿入し、料金支払いのための料金支払い用データを記録する。料金データを記録したデータ記録メディアによって、データを外部にて取り出すことができる。
【考案の効果】
【００１６】
請求項１〜５記載の考案によれば、複数のＥＴＣカードを所有している際にも利便性を損なうことなく、また、安全性にも配慮されたＥＴＣ車載機を提供することができた。
【考案を実施するための最良の形態】
【００１７】
以下、図面に示した本考案の実施形態に基づき、本発明をさらに詳細に説明する。ここで使用する図面は、図１から図６であり、すべて、有料道路の料金所に設置された車両検知装置と、車両検知装置を通過する車両に搭載されたＥＴＣ車載機とがデータ送受信を行うことによって通行料金の収受データ処理を行うＥＴＣシステムにおけるＥＴＣ車載機を示す。
【００１８】
（図１，図２）
図１，図２は、本考案の第一の実施形態を示したＥＴＣ車載機１である。ここに示すＥＴＣ車載機１は、有料道路の料金支払い者の決済情報を予め記録するとともに料金支払いのための料金支払い用データを記録可能なＥＴＣカードに対して、データの読み込みおよび書き込みを行うカードリーダライターを内蔵し、そのカードリーダライターでのデータの読み込みおよび書き込みを行うためのＥＴＣカードを複数枚挿入可能であるように、第一カード挿入口１０および第二カード挿入口２０を備えている。
また、第一カード挿入口１０および第二カード挿入口２０のいずれに対してデータの読み込みおよび書き込みを行わせるかを選択するための第一カード選択ボタン１１および第二カード選択ボタン２１を備えている。そして、この第一、第二カード選択ボタン１１，２１に対応した第一点灯ランプ１２および第二点灯ランプ２２を備えている。第一点灯ランプ１２および第二点灯ランプ２２は、第一カード挿入口１０および第二カード挿入口２０にカードが挿入され、第一カード選択ボタン１１および第二カード選択ボタン２１でデータの読み込みおよび書き込みを行うカードとして選択されている場合に点灯する。また、ＥＴＣ車載機１の接地面と対向する位置に音声案内用のスピーカ５０が設けられている。スピーカ５０は、ＥＴＣ車載機１と車両検知装置で行われる通行料金の収受データ処理において、決済処理された収受データを運転者に音声案内を行うためのものである。なお、本実施形態のＥＴＣ車載機１は、車両検知装置とのデータ送受信を無線通信にて行うためのアンテナ（図示しない）をＥＴＣ車載機１内に内蔵したアンテナ一体型のＥＴＣ車載機として構成されている。
【００１９】
このＥＴＣ車載機１は、縦横の両方での設置が可能となっている。すなわち、図１に示すように、第一、第二カード挿入口１０，２０が水平となるように横置き型として配置することもできるし、図２に示すように、第一、第二カード挿入口１０，２０が垂直となるように縦置き型として配置することもできる。横置きに設置する場合は、車両のダッシュボード上に配置することが望ましい。一方、車両の型式や視界の関係でダッシュボード上に配置できない場合などは、運転席や助手席の足元付近やセンターコンソールなどに縦置きにして設置することが望ましい。
【００２０】
以下、ＥＴＣ車載機１の利用形態について説明する。例えば、第一カード挿入口１０には、第一カードとしてＥＴＣ別納カードを挿入する。ＥＴＣ別納カードとは、大幅な割引制度に対応したヘビーユーザ向けのＥＴＣカードである。また、第二カード挿入口２０には、第二カードとしてクレジット会社が発行する一般的なＥＴＣクレジットカードを挿入することとする。これらのカードを挿入した場合、第一、第二カードのいずれかで支払いを行うかの選択をする。運転者が第一カードで支払いたい場合は、第一カード選択ボタン１１を押す。第二カードで支払いたい場合は、第二カード選択ボタン２１を押す。これは、有料道路の種類、すなわち割引対象道路か割引対象外道路かの区別および割引率などに応じて適宜選択すればよい。
いずれかのカード選択ボタンを押すと、そのカード選択ボタンに対応した点灯ランプが点灯し、カードが選択されていることを告知する。第一カード選択ボタン１１を押せば、第一点灯ランプ１２が点灯し、第二カード選択ボタン２１を押せば、第二点灯ランプ２２が点灯する。そして、車両検知装置が選択されたＥＴＣカードに対し、料金支払い用データを記録し、通行料金の収受データ処理を行う。一方、ＥＴＣ車載機１のスピーカ５０からは、収受データ処理された通行料金を音声案内して運転者に知らせる。
【００２１】
これによって、複数のＥＴＣカードを所有している際にもカード挿入口からＥＴＣカードの入れ替えを行わずにすむため利便性が向上する。また、ＥＴＣカードを運転中に入れ替える必要がなく、安全性にも優れている。さらに、最も割引率の高い支払方法を選択できる。
【００２２】
（図３，図４）
図３，図４は、本考案の第二の実施形態を示したＥＴＣ車載機１ｂである。図３，図４に示す実施形態のＥＴＣ車載機１ｂは、有料道路の料金支払い者の決済情報を予め記録するとともに料金支払いのための料金支払い用データを記録可能なＥＴＣカードに対して、データの読み込みおよび書き込みを行うカードリーダライターを内蔵し、そのカードリーダライターでのデータの読み込みおよび書き込みを行うためのＥＴＣカードを複数枚挿入可能であるように形成した点で第一の実施形態に係るＥＴＣ車載機１と全く同様の構成である。しかしながら、第二カード挿入口２０の上部に第三カード挿入口３０を備えている点で第一の実施形態と異なる。すなわち、ＥＴＣ車載機１ｂは、第一カード挿入口１０、第二カード挿入口２０および第三カード挿入口３０を備え、それぞれの挿入口にＥＴＣカードが合計で３枚まで挿入可能なように形成されている。
また、第三カード挿入口３０に任意のＥＴＣカードを挿入し、そのＥＴＣカードを選択するための第三カード選択ボタン３１と、この第三カード選択ボタン３１と対応した第三点灯ランプ３２を備えている。
したがって、より多くのＥＴＣカードを所有していても対応可能となる。特にヘビーユーザにとっては、利便性の向上が図られる。
【００２３】
（図５，図６）
図５，図６は、本考案の第三の実施形態を示したＥＴＣ車載機１ｃである。図５，図６に示す実施形態のＥＴＣ車載機１ｃは、有料道路の料金支払い者の決済情報を予め記録するとともに料金支払いのための料金支払い用データを記録可能なＥＴＣカードに対して、データの読み込みおよび書き込みを行うカードリーダライターを内蔵し、そのカードリーダライターでのデータの読み込みおよび書き込みを行うためのＥＴＣカードを複数枚挿入可能であるように形成した点で第一の実施形態に係るＥＴＣ車載機１と全く同様の構成である。しかしながら、第一カード挿入口１０の下部にメディア挿入口４０を設けている点で第一の実施形態と異なる。すなわち、メディア挿入口４０は、料金支払いのための料金支払い用データをデータ記録メディアに記録可能な機能を有する。そして、メディア挿入口４０に挿入したデータ記録メディアを取り出すためのイジェクトボタン４１と、料金データをデータ記録メディアに書き込み中に点灯点滅を行うメディア点灯ランプ４２とを備えている。
料金データを記録したデータ記録メディアを取り外して、別途備えられたプリンタによって料金データを印刷すれば、料金データを印字可能である。例えば、有料道路の利用に関する領収書に類する書類の印刷が可能となり、また、道路の種類によってＥＴＣカードを使い分けても、利用履歴を残すことができる。
【００２４】
上記、カード選択ボタン（１１，２１，３１）はＥＴＣカードのイジェクト機能を兼ねている。すなわち、各カード挿入口に挿入したＥＴＣカードを取り出す時は、カード選択ボタンを２回押すことでＥＴＣカードを取り出すことができる。
【図面の簡単な説明】
【００２５】
【図１】第一の実施形態のＥＴＣ車載機を示す斜視図である。
【図２】第一の実施形態のＥＴＣ車載機を示す正面図である。
【図３】第二の実施形態のＥＴＣ車載機を示す斜視図である。
【図４】第二の実施形態のＥＴＣ車載機を示す正面図である。
【図５】第三の実施形態のＥＴＣ車載機を示す斜視図である。
【図６】第三の実施形態のＥＴＣ車載機を示す正面図である。
【符号の説明】
【００２６】
１，１ｂ，１ｃ  ＥＴＣ車載機
１０，２０，３０  カード挿入口
１１，２１，３１  カード選択ボタン
１２，２２，３２  点灯ランプ
４０  メディア挿入口
４１  イジェクトボタン
４２  メディア点灯ランプ
５０  スピーカ
【図１】
0003102403.tif 000003
【図２】
0003102403.tif 000004
【図３】
0003102403.tif 000005
【図４】
0003102403.tif 000006
【図５】
0003102403.tif 000007
【図６】
0003102403.tif 000008